(57)【特許請求の範囲】
【請求項１】
パチンコ機の遊技盤に対して装着される装飾用の遊技部品において、
前記遊技盤の横方向に延在して配設され、少なくとも裏面に対向して発光装置が配設された不透光性の第１の装飾部材と、
前記遊技盤の横方向に延在して配設され、前記第１の装飾部材に対して遊技者の方向である前方に開口した穴部により形成される線状の間隙を介して対向する不透光性の第２の装飾部材とから成り、
前記第１の装飾部材と前記第２の装飾部材とに前記遊技盤の前後方向における段差が形成され、前記第１の装飾部材と前記第２の装飾部材との間に形成されている前記線状の間隙を介して前記発光装置からの光が前方に照射されるように構成され、
前記第１の装飾部材が、前記遊技盤の表面に対して直角な方向である前記遊技盤の前後方向に往復動自在に配設されている
ことを特徴とする遊技部品。
【発明の詳細な説明】
【０００１】
【発明の属する技術分野】
本発明は、遊技盤に対して装飾用の遊技部品が装着されたパチンコ機および遊技部品に関する。
【０００２】
【従来の技術】
従来のパチンコ機のランプ付き遊技装置（特開平１１−２３９６３０号）は、図１５に示されるように複数のランプが配設されるランプ装着部が配設されるベース板Ｂの前方にベース板Ｂよりも幅広の複数のランプからの光をある程度透過させる半透明の装飾板Ｄが突設され、ベース板Ｂには複数のランプを包囲するようにフェンス状の防護壁Ｆが突設され、前記装飾板Ｄの裏面と前記防護壁Ｆの先端との間にランプからの光で装飾板Ｄの裏面で反射された光を前記装飾板Ｄの裏面に沿って横方向に外部に漏らす間隙Ｇが形成されるものであった。
【０００３】
【発明が解決しようとする課題】
上記従来のパチンコ機のランプ付き遊技装置は、複数のランプが配設されるランプ装着部が配設されるベース板Ｂの前方にベース板Ｂよりも幅広の複数のランプからの光を前記半透明の装飾板Ｄを介してある程度透過させるとともに、半透明の装飾板Ｄが突設され、ベース板Ｂには複数のランプを包囲するようにフェンス状の防護壁Ｆが突設され、前記装飾板Ｄの裏面と前記防護壁Ｆの先端との間に形成された間隙Ｇを介してランプからの光で装飾板Ｄの裏面で反射された光を前記装飾板Ｄの裏面に沿って横方向に外部にすなわち遊技盤のパネル部材の表面に平行な方向に漏らすにすぎないものであるので、複数のランプからの光および前記装飾板Ｄの裏面で反射された光を有効に利用演出するものではなく、充分な電飾効果すなわち光装飾効果が得られるものではないという問題があった。
【０００４】
そこで本発明者は、パチンコ機の遊技盤に対して装着される装飾用の遊技部品において、前記遊技盤の横方向に延在して配設され、少なくとも裏面に対向して発光装置が配設された不透光性の第１の装飾部材と、前記遊技盤の横方向に延在して配設され、前記第１の装飾部材に対して遊技者の方向である前方に開口した線状の間隙を介して対向する不透光性の第２の装飾部材とに前記遊技盤の前後方向における段差を形成して、前記第１の装飾部材と前記第２の装飾部材との間に形成されている前記線状の間隙を介して前記発光装置からの光を前方に照射するという本発明の技術的思想に着眼し、更に研究開発を重ねた結果、前記発光装置からの光および前記第１の装飾部材の裏面で反射された光を有効に利用演出することにより、充分な電飾効果すなわち光装飾効果が得られるという目的を達成する本発明に到達した。
【０００５】
【課題を解決するための手段】
本発明の遊技部品は、
パチンコ機の遊技盤に対して装着される装飾用の遊技部品において、
前記遊技盤の横方向に延在して配設され、少なくとも裏面に対向して発光装置が配設された不透光性の第１の装飾部材と、
前記遊技盤の横方向に延在して配設され、前記第１の装飾部材に対して遊技者の方向である前方に開口した穴部により形成される線状の間隙を介して対向する不透光性の第２の装飾部材とから成り、
前記第１の装飾部材と前記第２の装飾部材とに前記遊技盤の前後方向における段差が形成され、前記第１の装飾部材と前記第２の装飾部材との間に形成されている前記線状の間隙を介して前記発光装置からの光が前方に照射されるように構成されている
ものである。
【０００６】
本発明の遊技部品は、
前記発明において、
前記第１の装飾部材が、前記第２の装飾部材に対して前記遊技盤の前後方向において前方に凸設されている、もしくは後方に凹設されている
ものである。
【０００７】
本発明の遊技部品は、
前記発明において、
前記第１の装飾部材が、前記発光装置の光軸方向に直交する方向に対して傾斜して配設されている
ものである。
【０００８】
本発明の遊技部品は、
前記発明において、
前記線状の間隙が、前記第２の装飾部材に対向する前記第１の装飾部材の全周に亘り形成されている
ものである。
【０００９】
本発明の遊技部品は、
前記発明のいずれかにおいて、
前記第１の装飾部材が、前記第２の装飾部材に対向する前記第１の装飾部材の外周対向部の裏面に形成された外側ほど広がり前記線状の間隙を拡大するテーパ部を備えている
ものである。
【００１０】
本発明の遊技部品は、
パチンコ機の遊技盤に対して装着される装飾用の遊技部品において、
前記遊技盤の横方向に延在して配設され、少なくとも裏面に対向して発光装置が配設された不透光性の第１の装飾部材と、
前記遊技盤の横方向に延在して配設され、前記第１の装飾部材に対して遊技者の方向である前方に開口した穴部により形成される線状の間隙を介して対向する不透光性の第２の装飾部材とから成り、
前記第１の装飾部材と前記第２の装飾部材とに前記遊技盤の前後方向における段差が形成され、前記第１の装飾部材と前記第２の装飾部材との間に形成されている前記線状の間隙を介して前記発光装置からの光が前方に照射されるように構成され、
前記第１の装飾部材に対して前記遊技盤の外側に配設された前記第２の装飾部材の外側部分が、パチンコ球を誘導する誘導レールの垂直内壁に近接して対向配置されている
ものである。
【００１１】
本発明の遊技部品は、
前記発明において、
前記遊技盤の横方向に延在して配設され、前記発光装置を構成する少なくとも１個の発光ランプまたは発光素子の先端を臨ませる小径の導入部と、該導入部に連続して光路面積が徐々に拡大して表面側に開口する拡大部とが形成された不透光性の第３の装飾部材を備え、
前記第１の装飾部材および前記第２の装飾部材が、前記第３の装飾部材の表面の前方に突設されている
ものである。
【００１２】
本発明の遊技部品は、
前記発明において、
前記遊技盤の横方向に延在して配設され、背面に配設された前記発光装置を構成する少なくとも１個の発光ランプまたは発光素子からの照射光を透過させる裏面が凹凸状の表面を備えた透光性の第３の装飾部材と、
前記第３の装飾部材を遊技盤に対して平行に支持するベース装飾部材を備え、  前記第１の装飾部材および前記第２の装飾部材が、前記第３の装飾部材の表面の前方に突設され、前記発光装置の光軸方向に直交する方向に対して傾斜して配設されている
ものである。
【００１３】
本発明の遊技部品は、
前記発明において、
前記遊技盤の横方向に延在して配設され、背面に配設された前記発光装置を構成する少なくとも１個の発光ランプまたは発光素子からの照射光を透過させる少なくとも１個の突起部と平坦部を備え、裏面が凹凸状の表面を備えた透光性の第３の装飾部材と、
前記第３の装飾部材を遊技盤に対して平行に支持するベース装飾部材を備え、  前記第１の装飾部材が、前記第３の装飾部材の表面の前方に突設され、前記第３の装飾部材の前記突起部が挿入される凹部が形成されるとともに前記突起部の先端を臨ませる開口部が上面に形成された凸部と、前記発光装置の光軸方向に直交する方向に対して傾斜して形成されている裏面全体の傾斜部とが一体的に形成されている
ものである。
【００１４】
本発明の遊技部品は、
前記発明において、
前記第１の装飾部材が、パチンコ球を誘導する誘導レールの垂直内壁に近接して対向配置されている
ものである。
【００１５】
本発明の遊技部品は、
前記発明のいずれかにおいて、
前記第１の装飾部材および前記第２の装飾部材の表面および裏面ならびに前記第３の装飾部材の表面にメッキ、鏡面仕上げ、金属の研磨面等の反射促進処理が施されている
ものである。
【００１６】
本発明の遊技部品は、
前記発明のいずれかにおいて、
前記第１の装飾部材の全周に亘る前記線状の間隙を形成する前記第２の装飾部材の前記穴部の上部の裏面に垂直に部分的な遮蔽壁が形成されている
ものである。
【００１７】
本発明（請求項１に記載の第１発明）の遊技部品は、
パチンコ機の遊技盤に対して装着される装飾用の遊技部品において、
前記遊技盤の横方向に延在して配設され、少なくとも裏面に対向して発光装置が配設された不透光性の第１の装飾部材と、
前記遊技盤の横方向に延在して配設され、前記第１の装飾部材に対して遊技者の方向である前方に開口した穴部により形成される線状の間隙を介して対向する不透光性の第２の装飾部材とから成り、
前記第１の装飾部材と前記第２の装飾部材とに前記遊技盤の前後方向における段差が形成され、前記第１の装飾部材と前記第２の装飾部材との間に形成されている前記線状の間隙を介して前記発光装置からの光が前方に照射されるように構成され、
前記第１の装飾部材が、前記遊技盤の表面に対して直角な方向である前記遊技盤の前後方向に往復動自在に配設されている
ものである。
【００１８】
本発明のパチンコ機は、
遊技盤に対して装飾用の遊技部品が装着されたパチンコ機において、
前記遊技盤の横方向に延在して配設され、少なくとも裏面に対向して発光装置が配設された不透光性の第１の装飾部材と、
前記遊技盤の横方向に延在して配設され、前記第１の装飾部材に対して遊技者の方向である前方に開口した間隙を介して対向する不透光性の第２の装飾部材とを備え、
前記第１の装飾部材と前記第２の装飾部材とに前記遊技盤の前後方向における段差が形成され、前記第１の装飾部材と前記第２の装飾部材との間に形成されている前記線状の間隙を介して前記発光装置からの光が照射されるように構成されている
ものである。
【００１９】
【発明の作用および効果】
上記構成より成る本発明の遊技部品は、パチンコ機の遊技盤に対して装着される装飾用の遊技部品において、前記遊技盤の横方向に延在して配設され、少なくとも裏面に対向して発光装置が配設された不透光性の第１の装飾部材と、前記遊技盤の横方向に延在して配設され、前記第１の装飾部材に対して遊技者の方向である前方に開口した穴部により形成される線状の間隙を介して対向する不透光性の第２の装飾部材ととに前記遊技盤の前後方向における段差が形成され、前記第１の装飾部材と前記第２の装飾部材との間に形成されている前記線状の間隙を介して前記発光装置からの光が前方に照射するものであるため、前記発光装置からの光および前記第１の装飾部材の裏面で反射された光を有効に利用演出することにより、充分な電飾効果すなわち光装飾効果が得られるという効果を奏する。
【００２０】
上記構成より成る本発明の遊技部品は、前記発明において、前記第１の装飾部材が、前記第２の装飾部材に対して前記遊技盤の前後方向において前方に凸設されている、もしくは後方に凹設されているので、前方に凸設したまたは後方に凹設された前記第１の装飾部材と前記第２の装飾部材との間に形成され実質的に間隔が広くなった前記線状の間隙を介して前記発光装置からの光を斜め前方に照射するものであるため、前記発光装置からの光および前記第１の装飾部材の裏面で反射された光をより有効に利用演出することにより、一層充分な電飾効果すなわち光装飾効果が得られるという効果を奏する。
【００２１】
上記構成より成る本発明の遊技部品は、前記発明において、前記第１の装飾部材が、前記発光装置の光軸方向に直交する方向に対して傾斜して配設されているので、傾斜した前記第１の装飾部材と前記第２の装飾部材との間に形成される前記線状の間隙の間隔が部位によって異なるため、前記線状の間隙の部位によって異なった電飾効果すなわち光装飾効果が得られるという効果を奏する。
がある。
【００２２】
上記構成より成る本発明の遊技部品は、前記発明において、前記第２の装飾部材に対向する前記第１の装飾部材の全周に亘り形成されている前記線状の間隙を介して前記発光装置からの光を前方に照射するものであるため、前記発光装置からの光および前記第１の装飾部材の裏面で反射された光を有効に利用演出することにより、前記第２の装飾部材に対向する前記第１の装飾部材の全周の輪郭を強調した充分な電飾効果すなわち光装飾効果が得られるという効果を奏する。
【００２３】
上記構成より成る本発明の遊技部品は、前記発明のいずれかにおいて、前記第２の装飾部材に対向する前記第１の装飾部材の外周対向部の裏面に外側ほど広がり前記線状の間隙を拡大する前記テーパ部が形成されているので、前記テーパ部によって実質的に間隔が広くなった前記線状の間隙を介して前記発光装置からの光を斜め前方に照射するとともに、前記第１の装飾部材の裏面で反射された反射光およびテーパ部で反射され拡げられた反射光をより有効に利用演出することにより、前記発光装置からの光による一層充分な電飾効果すなわち光装飾効果が得られるという効果を奏する。
【００２４】
上記構成より成る本発明の遊技部品は、パチンコ機の遊技盤に対して装着される装飾用の遊技部品において、前記遊技盤の横方向に延在して配設され、少なくとも裏面に対向して発光装置が配設された不透光性の第１の装飾部材と、前記遊技盤の横方向に延在して配設され、前記第１の装飾部材に対して遊技者の方向である前方に開口した穴部により形成される線状の間隙を介して対向する不透光性の第２の装飾部材とに前記遊技盤の前後方向における段差が形成され、前記第１の装飾部材と前記第２の装飾部材との間に形成されている前記線状の間隙を介して前記発光装置からの光が前方に照射するものであるため、前記発光装置からの光および前記第１の装飾部材の裏面で反射された光を有効に利用演出することにより、充分な電飾効果すなわち光装飾効果が得られるという効果を奏するとともに、前記第１の装飾部材に対して前記遊技盤の外側に配設された前記第２の装飾部材の外側部分が、パチンコ球を誘導する誘導レールの垂直内壁に近接して対向配置されているので、前記第２の装飾部材の裏面によって反射された前記発光装置からの光を前記誘導レールの垂直内壁に照射するため、電飾面すなわち光装飾面を拡大するとともに、立体的電飾すなわち光装飾を可能にするという効果を奏する。
【００２５】
上記構成より成る本発明の遊技部品は、前記発明において、前記遊技盤の横方向に延在して配設された前記不透光性の第３の装飾部材に形成された前記小径の導入部に先端を臨ませた前記発光装置を構成する少なくとも１個の発光ランプまたは発光素子からの光を前記導入部に連続して形成された光路面積が徐々に拡大した前記拡大部に導き、該拡大部によって導かれた光を拡大するので、表面側の開口より前記第３の装飾部材の表面の前方に突設された前記第１の装飾部材および前記第２の装飾部材の裏面の広い範囲を照射するという効果を奏する。
【００２６】
上記構成より成る本発明の遊技部品は、前記発明において、前記ベース装飾部材によって裏面が凹凸状の表面を備えた透光性の前記第３の装飾部材を前記遊技盤に対して平行に支持して、前記遊技盤の横方向に延在して配設し、背面に配設された前記発光装置を構成する少なくとも１個の発光ランプまたは発光素子からの照射光を透過させ、前記第３の装飾部材の表面の前方に突設して前記発光装置の光軸方向に直交する方向に対して傾斜して配設された前記第１の装飾部材と前記第２の装飾部材とが対向する前記線状の間隙を介して前記発光装置からの光を前方に照射するものであるため、裏面に凹凸状の表面を備えた透光性の前記第３の装飾部材を透過した光による電飾効果すなわち光装飾効果が得られるとともに、前記第３の装飾部材を透過した光を、傾斜した前記第１の装飾部材と前記第２の装飾部材とが対向する前記線状の間隙を介して前方に照射するものであり、前記線状の間隙の間隔が部位によって異なるため、前記線状の間隙の部位によって異なった電飾効果すなわち光装飾効果が得られるという効果を奏する。
【００２７】
上記構成より成る本発明の遊技部品は、前記発明において、前記ベース装飾部材によって裏面が凹凸状の表面を備えた透光性の前記第３の装飾部材を遊技盤のパネル部材に対して平行に支持して、前記遊技盤の横方向に延在して配設し、背面に配設された前記発光装置を構成する少なくとも１個の発光ランプまたは発光素子からの照射光を、前記第３の装飾部材の前記突起部内を透過させ、前記第３の装飾部材の表面の前方に突設された前記第１の装飾部材に形成された前記凹部内に挿入された前記突起部の先端が臨んでいる前記凸部の上面に形成された前記開口部から照射されるので、点光源的な電飾効果すなわち光装飾効果が得られるとともに、前記第３の装飾部材の裏面が凹凸状の表面から前記平坦部を透過した光を前記発光装置の光軸方向に直交する方向に対して傾斜して形成されている裏面全体の前記傾斜部に反射させるので、裏面に凹凸状の表面を備えた透光性の前記第３の装飾部材を透過した光の反射光による電飾効果すなわち光装飾効果が得られるという効果を奏する。
【００２８】
上記構成より成る本発明の遊技部品は、前記発明において、前記第１の装飾部材が、パチンコ球を誘導する誘導レールの垂直内壁に近接して対向配置されているので、前記第３の装飾部材の裏面が凹凸状の表面から前記平坦部を透過した光を前記発光装置の光軸方向に直交する方向に対して傾斜して形成されている裏面全体の前記傾斜部によって反射された反射光を前記誘導レールの垂直内壁に照射するため、電飾面すなわち光装飾面を拡大するとともに、立体的電飾すなわち光装飾を可能にするという効果を奏する。
【００２９】
上記構成より成る本発明の遊技部品は、前記発明のいずれかにおいて、前記第１の装飾部材および前記第２の装飾部材の表面および裏面ならびに前記第３の装飾部材の表面にメッキ、鏡面仕上げ、金属の研磨面等の反射促進処理が施されているので、前記第１の装飾部材および前記第２の装飾部材の裏面において有効に反射した反射光を、前記第３の装飾部材の表面において有効に反射するため、反射光による電飾効果すなわち光装飾効果を一層高めるという効果を奏する。
【００３０】
上記構成より成る本発明の遊技部品は、前記発明において、前記第１の装飾部材の全周に亘る前記線状の間隙を形成する前記第２の装飾部材の前記穴部の上部の裏面に垂直に部分的な遮蔽壁が形成されているので、前記第１の装飾部材および前記第２の装飾部材の裏面によって上方に反射した光が、遊技者の目に直接到達することがないようにするという効果を奏する。
【００３１】
上記構成より成る第１発明の遊技部品は、前記第１の装飾部材が、遊技盤の表面に対して直角な方向である遊技盤の前後方向に往復動自在に配設されているので、例えば入賞時または確変時に前記第１の装飾部材を往復動させることにより、前記第１の装飾部材および前記第２の装飾部材との間に形成される前記線状の間隙が変化するので、前記線状の間隙を通過する光の量および光の通過形態を変化させるため、パチンコ遊技の状況に応じた優れた質感の電飾効果すなわち光装飾効果が得られるという効果を奏する。
【００３２】
上記構成より成る本発明のパチンコ機は、遊技盤に対して装飾用の遊技部品が装着されたパチンコ機において、前記遊技盤の横方向に延在して配設され、少なくとも裏面に対向して発光装置が配設された不透光性の第１の装飾部材と、前記遊技盤の横方向に延在して配設され、前記第１の装飾部材に対して遊技者の方向である前方に開口した間隙を介して対向する不透光性の第２の装飾部材とに前記遊技盤の前後方向における段差を形成して、前記第１の装飾部材と前記第２の装飾部材との間に形成されている前記間隙を介して前記発光装置からの光を前方に照射するものであるため、前記発光装置からの光および前記第１の装飾部材の裏面で反射された光を有効に利用演出することにより、充分な電飾効果すなわち光装飾効果が得られるという効果を奏する。
【００３３】
【発明の実施の形態】
以下本発明の実施の形態につき、図面を用いて説明する。
【００３４】
（第１実施形態）
本第１実施形態のパチンコ機および遊技部品は、図１ないし図６に示されるようにパチンコ機１の遊技盤１００に対して装着される装飾用の遊技部品２およびかかる遊技部品２を備えたパチンコ機１において、前記遊技盤１００の横方向に延在して配設され、少なくとも裏面に対向して発光装置３が配設された不透光性の第１の装飾部材２１と、前記遊技盤１００の横方向に延在して配設され、前記第１の装飾部材２１に対して遊技者の方向である前方に開口した線状の間隙２８を介して対向する不透光性の第２の装飾部材２２とを備え、前記第１の装飾部材２１と前記第２の装飾部材２２とに前記遊技盤１００の前後方向における段差が形成され、前記第１の装飾部材２１と前記第２の装飾部材２２との間に形成されている前記間隙２８を介して前記発光装置３からの光が照射されるように構成されているものである。
【００３５】
本第１実施形態におけるパチンコ機（パチンコ遊技機、以下単にパチンコ機と言う）は、前記発光装置３が配設された入賞装置４を備えたパチンコ機遊技盤１００を備え、該遊技盤１００は、ベニヤ板より成るフラットな平板状のパネル部材１０と、パネル部材１０上に装着される遊技用構造物とから構成される。
【００３６】
前記パネル部材１０上には、セルロイド膜にプリント層を形成したすなわちプリント処理した印刷シート１１が貼り付けられる。前記パネル部材１０の前面にはパチンコ機の発射装置（図示せず）から発射されたパチンコ球を誘導するためのステンレス製の誘導レール１２が円形渦巻き状に装着されている。
【００３７】
前記誘導レール１２によって包囲された内側の領域が遊技領域であり、遊技領域の中央部には中央表示装置５が組み込まれるとともに、該中央表示装置５の下方には前記中央表示装置５の特別図柄表示変動を開始する始動入賞口４１および大入賞口４２が形成された入賞装置４が装着されている。
【００３８】
前記入賞装置４の下方の前記誘導レール１２の下部によって区画される遊技領域の下端中央部には、いずれの入賞口にも入賞しなかったパチンコ球を回収するためのアウト口６が形成されている。
【００３９】
前記入賞装置４のベースプレート４０は、不透光性の第３の装飾部材としての略Ｃ型形状の樹脂製の金または銀メッキが施されたプレートまたは金属プレートであって、前記始動入賞口４１の下方の前記パネル部材１０の前面に複数の皿ピスまたは接着材によって固着されることにより、遊技盤１００の横方向に延在して配設され、中央上部には大入賞口４２を構成する矩形開口が形成されている。
【００４０】
前記ベースプレート４０は、前記大入賞口４２を構成する矩形開口の両側に、前記発光装置３を構成する複数の発光ランプまたは発光素子３１に対応して、光路面積が徐々に拡大して表面側に開口する拡大部４０１が後方に突設して一体的に形成されるとともに、該拡大部４０１に連続して発光ランプまたは発光素子の先端を臨ませる小径の導入部４０２が後方に突設して一体的に形成されている。
【００４１】
前記第２の装飾部材２２が、前記第３の装飾部材としての前記ベースプレート４０における前記大入賞口４２を構成する矩形開口の両側の表面の前方に突設されている。すなわち前記第２の装飾部材２２は、図４および図５に示されるように裏面に複数の取付け用ボス２２１を後方に突出形成され、前記ベースプレート４０の対応する複数の円形凹部に係合させて、前記ベースプレート４０の裏面より皿ビスによって固着されることにより、前記第２の装飾部材２２は、前記ベースプレート４０に平行に遊技盤１００の横方向に延在配設される。
【００４２】
前記第１の装飾部材２１は、図４および図５に示されるようにその裏面に複数の取付け用ボス２１１が後方に突出形成され、前記ベースプレート４０の対応する円形凹部および孔部に係合させて、前記ベースプレート４０の裏面より皿ビスによって固着されることにより、前記第１の装飾部材２１が、前記ベースプレート４０に平行にパチンコ器の横方向に延在配設されるとともに、前記第２の装飾部材２２より遊技盤１００の前後方向における前方に一定距離だけ突出して配設され、前記第１の装飾部材２１と前記第２の装飾部材２２とに遊技盤１００の前後方向における段差が形成されている。
【００４３】
前記ベースプレート４０は、図４に示されるようにその後方に前記発光装置３を構成する複数の発光ランプまたは発光素子３１および配線が配設されたプリント基板３０および該プリント基板３０の裏面をカバーするカバープレート３２がビスによって固着され、複数の発光ランプまたは発光素子３１の先端が、前記第２の装飾部材２２の前記小径の導入部４０２内に挿入されている。
【００４４】
前記第１の装飾部材２１は、図２に示されるようにその外形形状が、前記第２の装飾部材２２の穴部２２２の形状と同じであり、前記第１の装飾部材２１の外寸法が、前記第２の装飾部材２２の前記穴部２２２の内寸法より小さいので、前記第１の装飾部材２１と前記第２の装飾部材２２との間の前記線状の間隙２８が、前記第１の装飾部材２１の全周に亘り環状に形成されている。
【００４５】
また前記第１の装飾部材２１は、図４および図５に示されるように前記第２の装飾部材２２に対向する前記第１の装飾部材２１の外周対向部の裏面に形成された外側ほど広がり前記線状の間隙を拡大するテーパ部２１２を備えている。
【００４６】
前記第１の装飾部材２１および前記第２の装飾部材２２の表面および裏面ならびに前記第３の装飾部材としての前記ベースプレート４０の表面に金または銀メッキ処理が施されている。またメッキ処理に代わり鏡面仕上げ、金属の研磨面等の反射促進処理を施しても良い。
【００４７】
前記第２の装飾部材２２においては、図６に示されるように前記第１の装飾部材２１の全周に亘る前記線状の間隙２８を形成する前記第２の装飾部材２２の前記穴部２２２の上部の裏面に垂直に部分的な遮蔽壁２２３が略ハの字状に両側に形成されている。
【００４８】
上記構成より成る本第１実施形態の遊技部品は、前記ベースプレート４０の後方に配設された前記プリント基板に配設された前記発光装置３を構成する複数の発光ランプまたは発光素子からの光が、前記複数の発光ランプまたは発光素子３１の先端が挿入された前記第２の装飾部材２２の前記小径の導入部４０２内に導かれる。
【００４９】
前記小径の導入部４０２内に導入された光は、前記導入部４０２に連続して形成された前記ベースプレート４０の光路面積が徐々に拡大する前記拡大部４０１に導かれ、該拡大部４０１に導かれた光は、拡大部４０１によって拡げられ表面側の開口より、前記第１の装飾部材２１および前記第２の装飾部材２２の裏面を照射するとともに、前記第１の装飾部材２１と前記第２の装飾部材２２との間に前記第１の装飾部材２１の全周に亘り環状に形成されている前記線状の間隙２８を介して外部に照射される。
【００５０】
前記第１の装飾部材２１および前記第２の装飾部材２２の裏面によって反射された反射光は、前記第３の装飾部材としての前記ベースプレート４０の表面によって反射され、前記ベースプレート４０と前記第２の装飾部材２２との隙間２８から外部に照射される。
【００５１】
上記作用を奏する本第１実施形態のパチンコ機および遊技部品は、パネル部材に対して装飾用の遊技部品が装着されたパチンコ機および遊技部品において、前記第１の装飾部材２１に対して遊技者の方向である前方に開口した前記線状の間隙２８を介して対向する不透光性の第２の装飾部材２２とにパチンコ機の遊技盤１００の前後方向における段差を形成して、前記第１の装飾部材２１と前記第２の装飾部材２２との間に形成されている前記線状の間隙２８を介して前記発光装置３からの光を前方に照射するものであるため、前記発光装置３からの光および前記第１の装飾部材２１の裏面で反射された光を有効に利用演出することにより、充分な電飾効果すなわち光装飾効果が得られるという効果を奏する。
【００５２】
また本第１実施形態のパチンコ機および遊技部品は、前記第１の装飾部材２１が、前記第２の装飾部材２２に対して遊技盤１００の前後方向において前方に凸設されているので、前方に凸設した前記第１の装飾部材２１と前記第２の装飾部材２２との間に形成され実質的に間隔が広くなった前記線状の間隙２８を介して前記発光装置３からの光を斜め前方に照射するものであるため、前記発光装置３からの光および前記第１の装飾部材２１の裏面で反射された光をより有効に利用演出することにより、一層充分な電飾効果すなわち光装飾効果が得られるという効果を奏する。
【００５３】
さらに本第１実施形態の遊技部品は、前記第２の装飾部材２２に対向する前記第１の装飾部材２１の全周に亘り形成されている前記線状の間隙２８を介して前記発光装置３からの光を前方に照射するものであるため、前記発光装置３からの光および前記第１の装飾部材２１の裏面で反射された光を有効に利用演出することにより、前記第２の装飾部材２２に対向する前記第１の装飾部材２１の全周の輪郭を強調した充分な電飾効果すなわち光装飾効果が得られるという効果を奏する。
【００５４】
また本第１実施形態の遊技部品は、前記第２の装飾部材２２に対向する前記第１の装飾部材２１の外周対向部の裏面に外側ほど広がり前記線状の間隙を拡大する前記テーパ部２１２が形成されているので、前記テーパ部２１２によって実質的に間隔が広くなった前記線状の間隙２８を介して前記発光装置３からの光を斜め前方に照射するとともに、前記第１の装飾部材２１の裏面で反射された反射光およびテーパで反射され拡げられた反射光をより有効に利用演出することにより、前記発光装置３からの光および一層充分な電飾効果すなわち光装飾効果が得られるという効果を奏する。
【００５５】
さらに本第１実施形態の遊技部品は、図２に示されるように前記第１の装飾部材２１の外寸法が、前記第２の装飾部材２２の前記穴部２２２の内寸法より小さいので、前記第１の装飾部材２１と前記第２の装飾部材２２との間に形成されている前記線状の間隙２８を介して前記発光装置３からの光を前方に直接照射するものであるため、前記第１の装飾部材２１の全周の輪郭および前記第２の装飾部材２２の前記穴部２２２の輪郭を強調した充分な電飾効果すなわち光装飾効果が得られるという効果を奏する。
【００５６】
また本第１実施形態の遊技部品は、前記第１の装飾部材２１および前記第２の装飾部材２２の表面および裏面ならびに前記第３の装飾部材としての前記ベースプレート４０の表面にメッキ、鏡面仕上げ、金属の研磨面等の反射促進処理が施されているので、前記第１の装飾部材２１および前記第２の装飾部材２２の裏面において有効に反射した反射光を、前記第３の装飾部材としての前記ベースプレート４０の表面において有効に反射するため、反射光による電飾効果すなわち光装飾効果を一層高めるという効果を奏する。
【００５７】
さらに本第１実施形態の遊技部品は、図６に示されるように前記第１の装飾部材２１の全周に亘る前記線状の間隙２８を形成する前記第２の装飾部材２２の前記穴部２２２の上部の裏面に垂直に部分的な前記遮蔽壁２２３が形成されているので、前記第１の装飾部材２１および前記第２の装飾部材２２の裏面によって上方に反射した光が、遊技者の目に直接到達することがないようにするという効果を奏する。
【００５８】
また本第１実施形態の遊技部品は、遊技盤１００の横方向に延在して配設された前記不透光性の第３の装飾部材としての前記ベースプレート４０に形成された前記小径の導入部４０２に先端を臨ませた前記発光装置３を構成する複数の発光ランプまたは発光素子３１からの光を前記導入部４０２に連続して形成された光路面積が徐々に拡大した前記拡大部４０１に導き、該拡大部４０１によって導かれた光を拡大して表面側の開口より前記第３の装飾部材としての前記ベースプレート４０の表面の前方に突設された前記第１の装飾部材２１および前記第２の装飾部材２２の裏面の広い範囲を照射するという効果を奏する。
【００５９】
（第２実施形態）
本第２実施形態の遊技部品は、図７ないし図９に示されるように上述した第１実施形態における入賞装置４に配設された遊技部品の斜め上方に配設される遊技部品に関するものである。
【００６０】
遊技領域を包囲する誘導レール１２の左右中央部に沿って遊技盤１００のパネル部材１０に対して略Ｊ字状に形成された穴部１３に、発光装置３を構成する複数の発光ランプまたは発光素子３１に対応して２列のノの字状のスリット２０１、２０２が底面に穿設されたコの字状の横断面形状であって略Ｊ字状のベース装飾部材２０が、複数の皿ビスによって他に比べて突出量の大きな複数のフランジ部においてベース部材１０に対して装着される。
【００６１】
前記ベース装飾部材２０の底面の裏面には所定間隔毎に後方に突出するボスが形成され、前記第１実施形態と同様に前記発光装置３を構成する複数の発光ランプまたは発光素子および配線が配設されたプリント基板３０および該プリント基板の裏面をカバーするカバープレート３２がビスによって前記ボスに固着されている。
【００６２】
第３の装飾部材２３は、前記ベース装飾部材２０の底面に載置することによって、遊技盤のパネル部材１０に対して平行に支持され、パチンコ機の遊技盤１００の横方向に延在して配設され、前記第１実施形態と同様に背面に配設された発光装置３を構成する複数の発光ランプまたは発光素子３１からの照射光を透過させるレンズとしての機能を備えた半透明の部材であって、表面は平坦面によって構成され、裏面はシボ加工その他によって形成された例えば鋸歯状の凹凸表面を備えている。
【００６３】
第４の装飾部材２４および第５の装飾部材２５は、円弧状の側壁を備えた部材によって構成され、裏面から後方（紙面下方）に突設された複数のボス部をビスによって前記第３の装飾部材２３の複数の円形凹部に係合させて固着することにより、前記第３の装飾部材２３の表面の前方に突設して線状の隙間２８を介して並設され、前記発光装置３の光軸方向に直交する方向において外側にいく程高くなるように傾斜して配設されている。
【００６４】
前記第４の装飾部材２４の前記中央表示装置５に近い内側の外側壁は、前記ベース装飾部材２０の内側の内側壁との間に複数の円弧状の部分が連続した線状の間隙２８を形成するとともに、前記第４の装飾部材２４の外側に配設されている前記第５の装飾部材２５の外側の円弧状の外側壁が、パチンコ球を誘導する誘導レールの垂直内壁に近接して対向配置されている。
【００６５】
前記略Ｊ字状のベース装飾部材２０は、図７および図９に示されるように下方の一端の通常入賞口２６１の内側には円弧状の４辺より成る略台形状の穴部２０５が形成され、裏面において後方に突出して形成されたボス部によってピスによりベース装飾部材２０に対して固着され、該穴部に対して隙間２８を介して対向する円弧状の４辺より成る略台形状の第６の装飾部材としての先端装飾部材２６が、面位置になるように装着されている。該先端装飾部材２６は、金または銀等のメッキが施されている。
【００６６】
上記構成より成る本第２実施形態の遊技部品においては、前記ベース装飾部材２０の背面に配設された前記発光装置３を構成する複数の発光ランプまたは発光素子３１からの照射光が、半透明の前記第３の装飾部材２３の凹凸状の表面の裏面を照射することにより、前記第３の装飾部材２３を透過させる。
【００６７】
前記第３の装飾部材２３を透過した透過光が、前記第３の装飾部材２３の表面の前方に突設して前記発光装置の光軸方向に直交する方向に対して傾斜して配設された前記第４の装飾部材２４と前記第５の装飾部材２５とが対向する円弧状の側壁の間に形成されている線状であって前記円弧状の間隙２８および前記第４の装飾部材２４の内側の外側壁と前記ベース装飾部材２０の内側の内側壁との間に形成される線状の間隙２８を介して前記発光装置３からの光を前方に照射するものである。
【００６８】
また前記第３の装飾部材２３を透過した光は、外側に行く程高くなるように傾斜して配設されている前記第４の装飾部材２４の裏面に照射されることにより反射され、外側に方向が変えられた反射光は、前記第４の装飾部材２４と前記第５の装飾部材２５とが対向する円弧状の側壁の前記円弧状の間隙２８より斜め前方に照射される。
【００６９】
さらに前記第３の装飾部材２３を透過した光は、外側に行く程高くなるように傾斜して配設されている前記第５の装飾部材２５の裏面に照射されることにより反射され、外側に方向が変えられた反射光は、前記第５の装飾部材２５の円弧状の外側壁が、近接して対向配置されている誘導レール１２の垂直内壁を照射する。
【００７０】
上記作用を奏する本第２実施形態の遊技部品は、裏面に凹凸状の表面を備えた透光性の前記第３の装飾部材２３を透過した光による電飾効果すなわち光装飾効果が得られるとともに、前記第４の装飾部材２４と前記第５の装飾部材２５との間の前記円弧状の間隙２８および前記第４の装飾部材２４と前記ベース装飾部材２０との間に形成される線状の間隙２８を介して透過光を前方に照射することにより、前記第４の装飾部材２４と前記第５の装飾部材２５と前記ベース装飾部材２０の輪郭を強調した電飾効果すなわち光装飾効果が得られるという効果を奏する。
【００７１】
また本第２実施形態の遊技部品は、前記第４の装飾部材２４および前記第５の装飾部材２５が外側にいく程高くなるように傾斜して配設されているので、傾斜している前記第４の装飾部材２４および前記第５の装飾部材２５と前記遊技盤のパネル部材に装着されたパネル部材と平行な前記ベース装飾部材２０との間に形成される前記線状の間隙２８の間隔が部位によって異なるため、前記線状の間隙２８の部位によって異なった電飾効果すなわち光装飾効果が得られるという効果を奏する。
【００７２】
さらに本第２実施形態の遊技部品は、反射光は、前記第５の装飾部材２５の円弧状の外側壁が、近接して対向配置されている誘導レールの垂直内壁を照射するので、電飾面すなわち光装飾面の面積を拡大するとともに、立体的電飾すなわち３次元的光装飾を可能にするという効果を奏する。
【００７３】
また本第２実施形態の遊技部品は、前記略Ｊ字状のベース装飾部材２０の下方の一端に形成された円弧状の４辺より成る略台形状の穴部に対して隙間を介して対向する円弧状の４辺より成る略台形状の先端装飾部材２６が面位置になるように装着されているので、略台形状の先端装飾部材２６の円弧状の４辺よりなる環状の隙間２８を介して透過光を前方に照射することにより、前記略台形状の先端装飾部材２６の輪郭を強調した電飾効果すなわち光装飾効果が得られるという効果を奏する。
【００７４】
（第３実施形態）
本第３実施形態の遊技部品は、図７および図１０に示されるように上述した第２実施形態における遊技部品の上方に配設されるサイドランプとしての遊技部品に関するものである。
【００７５】
誘導レールの左右中央部に沿って遊技盤のパネル部材１０に対して略Ｊ字状に形成された穴部に、皿ビスによって装着されるベース装飾部材２０および該ベース装飾部材２０によって支持される半透明の第３の装飾部材２３は、前記第２実施形態におけるものを共用しているので、説明を省略する。
【００７６】
遊技領域を包囲する誘導レール１２の左右中央部に沿って遊技盤のパネル部材１０に対して略Ｊ字状に形成された穴部１３に、発光装置３を構成する複数の発光ランプまたは発光素子３１に対応してノの字状のスリット２０１および多数の小孔２０３が底面に穿設されたコの字状の横断面形状であって略Ｊ字状のベース装飾部材２０が、複数の皿ビスによって他に比べて突出量の大きな複数のフランジ部においてパネル部材１０に対して装着される。
【００７７】
前記第３の装飾部材２３は、発光装置３を構成する一定間隔で列設された複数の発光ランプまたは発光素子３１に対応してその外側部分の表面の前方に突設された複数の中実円柱状で上端が半球状の突起部２３１が一定間隔で一体的に列設形成されるとともに、列設された前記突起部２３１の外側の円弧状の外側壁部分２３２も上方に突設されており、切り欠かれたベース装飾部材２０の外側壁の切欠き部に係合している。
【００７８】
また前記第３の装飾部材２３の前記突起部２３１を照射する一定間隔で列設された前記複数の発光ランプまたは発光素子３１の内側に、複数の発光ランプまたは発光素子３１が一定間隔で列設されており、該内側の複数の発光ランプまたは発光素子３１に対向する部分の表面は平坦面２３２に形成されている。すなわち外側および内側２列の前記複数の発光ランプまたは発光素子３１がプリント基板３０に列設されている。
【００７９】
第７の装飾部材２７が、円弧状の内外の側壁を備えた円弧状の部材によって構成され、両端の裏面から後方に突設された複数のボス部をビスによって前記第３の装飾部材２３に対して固着することにより前記第３の装飾部材２３の表面の前方に突設されている。
【００８０】
前記第７の装飾部材２７は、前記第３の装飾部材２３の表面の前方に突設され、前記第３の装飾部材の前記突起部２３１が挿入される凹部２７５が形成されるとともに前記突起部２３１の先端を臨ませる開口部２７６が上面に穿設され、外側の円弧状外側壁に沿って形成された円弧状の凸部２７７と、前記発光装置３の光軸方向に直交する方向に対して傾斜して形成された傾斜プレート部２７８と、裏面全体の傾斜面２７９とが一体的に形成されているものである。
【００８１】
前記第７の装飾部材２７の前記円弧状の凸部２７７が、パチンコ球を誘導する誘導レール１２の垂直内壁に近接して対向配置されている。また前記第７の装飾部材２７の図中の下端は、前記第２実施形態における前記第５の装飾部材２５の上端との間に複数の円弧状部分より成る線状の隙間２８が形成されている。
【００８２】
上記構成より成る本第３実施形態の遊技部品においては、前記ベース装飾部材２０の背面に配設された前記発光装置３を構成する複数の発光ランプまたは発光素子３１からの照射光が、半透明の前記第３の装飾部材２３の凹凸状の裏面を照射することにより、前記第３の装飾部材２３を透過させる。
【００８３】
また一定間隔で列設された複数の発光ランプまたは発光素子３１から照射された光は、列設された発光素子３１に対応して突設された前記第３の装飾部材２３の突起部２３１の位置に対応する裏面の円形平坦凹部に照射され、前記第７の装飾部材２７の前記凹部２７５内に挿入された複数の中実円柱状の突起部２３１内を透過して、前記第７の装飾部材２７の前記円弧状の凸部２７７の上面に穿設された複数の前記開口部２７６に臨んでいる複数の前記突起部２３１の半球状の上端から前方に照射される。
【００８４】
さらに一定間隔で列設された前記複数の発光ランプまたは発光素子３１から照射された光は、前記一定間隔で列設された突起部２３１の外側の円弧状の外側壁部分２３２にも透過し、前記円弧状の外側壁部分２３２の上面から前方に照射されるとともに、前記円弧状の外側壁部分２３２の外側壁面から半径方向外方に照射される。
【００８５】
前記円弧状の外側壁部分２３２の上面から照射される光は、前方に配置された前記第７の装飾部材２７の傾斜した裏面によって反射され、該反射光および前記円弧状の外側壁部分２３２の外側壁面からの照射光によって外方の誘導レール１２の垂直内壁が照射される。
【００８６】
また内側の複数の発光ランプまたは発光素子３１から照射された光が、前記第３の装飾部材２３の平坦面２３２に対応する凹凸状の裏面に照射され、前記第３の装飾部材２３を透過した透過光が前記平坦面２３２から、前方に配置された前記第７の装飾部材２７の前記傾斜プレート部２７８に対応する傾斜した裏面である前記傾斜面２７９に照射され、前記第７の装飾部材２７の傾斜した裏面によって反射され、該反射光および前記円弧状の外側壁部分２３２の外側壁面からの照射光によって外方の誘導レール１２の垂直内壁が照射される。
【００８７】
上記作用を奏する本第３実施形態の遊技部品は、裏面に凹凸状の表面を備えた透光性の前記第３の装飾部材２３を透過した光による電飾効果すなわち光装飾効果が得られるとともに、前記第７の装飾部材２７と前記ベース装飾部材２０との間に形成される線状の円弧状間隙２８を介して透過光を前方に照射することにより、前記第７の装飾部材２７と前記ベース装飾部材２０の対向する円弧状の輪郭を強調した電飾効果すなわち光装飾効果が得られるという効果を奏する。
【００８８】
また本第３実施形態の遊技部品は、前記外側の複数の発光ランプまたは発光素子３１から照射された光は、列設された発光素子３１に対応して突設された前記第３の装飾部材２３の突起部２３１の位置に対応する裏面の円形平坦凹部に照射され、前記第７の装飾部材２７の前記凹部２７５内に挿入された複数の中実円柱状の突起部２３１内を透過して、前記第７の装飾部材２７の前記円弧状の凸部２７７の上面に穿設された複数の前記開口部２７６に臨んでいる複数の前記突起部２３１の半球状の上端から前方に照射されるので、前記円弧状の凸部２７７の上面に列設された点光源による電飾効果すなわち光装飾効果が得られるとともに、点光源の点滅周期の変化その他の点灯状態の変化によって一層強調されるるという効果を奏する。
【００８９】
さらに本第３実施形態の遊技部品は、前記第７の装飾部材２７が外側にいく程高くなるように傾斜して配設されているので、前記第７の装飾部材２７の裏面の前記傾斜面２７９によって、反射光の方向が外側に有効に変えられるため、前記第７の装飾部材２７の円弧状の外側壁が、近接して対向配置されている前記誘導レール１２の垂直内壁の広い範囲を照射することにより、電飾面すなわち光装飾面の面積を拡大するとともに、立体的電飾すなわち３次元的光装飾を可能にするという効果を奏する。
【００９０】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００９１】
上述の実施形態においては、前記発光装置の一例として発光ランプまたは発光素子を用いる例について説明したが、本発明としてはそれらに限定されるものでは無く、前記発光装置として小型電球、ＬＥＤ、蛍光管、発光ダイオードその他の光源が適宜利用可能である。
【００９２】
上述の実施形態においては、一例として前記第１の装飾部材が、前記第２の装飾部材に対してパチンコ機の遊技盤の前後方向において前方に突設した例について説明したが、本発明としてはそれらに限定されるものでは無く、図１１に示されるように前記第１の装飾部材２１が、前記第２の装飾部材２２に対してパチンコ機の遊技盤の前後方向において後方に凹設されている実施形態も採用可能である。
【００９３】
上述の実施形態においては、一例として前記第１の装飾部材の外寸法が、前記第２の装飾部材の穴部の内寸法より小さい例について説明したが、本発明としてはそれらに限定されるものでは無く、図１２に示されるように前記第１の装飾部材の外寸法が、前記第２の装飾部材の穴部の内寸法と等しいか、または若干大きい実施形態も採用可能である。
【００９４】
上述の実施形態においては、一例として前記第１の装飾部材を固定する例について説明したが、本発明としてはそれらに限定されるものでは無く、図１３に示されるように第１の装飾部材２１が、ソレノイドＳＬによりスプリングＳＰの付勢力に抗して移動させるようにして、遊技盤のパネル部材の表面に対して直角な方向であるパチンコ機の遊技盤の前後方向に往復動自在に配設される実施形態も採用可能である。
【００９５】
上述の第２実施形態においては、一例として第４の装飾部材および第５の装飾部材を同じ方向に傾斜して配設する例について説明したが、本発明としてはそれらに限定されるものでは無く、図１４（Ａ）および（Ｂ）に示されるように第４の装飾部材および第５の装飾部材を逆の方向に傾斜させて配設して、略Ｖ字状に配設したり、逆Ｖ字状に配設する実施形態も採用可能である。
【００９６】
上述の実施形態においては、一例として輪郭を強調する観点より前記第１の装飾部材および前記第２の装飾部材との間に線状の間隙を形成する例について説明したが、本発明としてはそれらに限定されるものでは無く、前記第１の装飾部材と前記第２の装飾部材との間の両対向端部にそれぞれ半円形または矩形の凹部を形成して、円形の間隙または矩形の間隙等任意の形状の間隙を形成したり、線状の間隙と組み合わせることにより、変化を持たせた実施形態も採用可能である。
【図面の簡単な説明】
【図１】本発明の第１実施形態のパチンコ遊技機および遊技部品を示す正面図である。
【図２】本第１実施形態のパチンコ遊技機および遊技部品の要部を示す部分正面図である。
【図３】本第１実施形態の遊技部品のベースプレートを示す正面図である。
【図４】本第１実施形態の図２に示される遊技部品の要部を示す図３中Ａ−Ａ線に沿う部分断面図である。
【図５】本第１実施形態の遊技部品を構成する部材の取付け態様を示す部分断面図である。
【図６】本第１実施形態の遊技部品における第２の装飾部材を示す斜視図である。
【図７】本発明の第２実施形態および第３実施形態の遊技部品を示す部分正面図である。
【図８】本第２実施形態の遊技部品の要部を示す部分断面図である。
【図９】本第２実施形態の遊技部品の先端装飾部材を示す部分断面図である。
【図１０】本第３実施形態の遊技部品の要部を示す部分断面図である。
【図１１】本発明のその他の実施形態の遊技部品における第１装飾部材と第２装飾部材との位置関係を示す部分断面図である。
【図１２】本発明のその他の実施形態の遊技部品における第１装飾部材と第２装飾部材との寸法関係を示す部分断面図である。
【図１３】本発明のその他の実施形態の遊技部品における第１装飾部材の可動機構を示す部分断面図である。
【図１４】本発明のその他の実施形態の遊技部品における第４装飾部材と第５装飾部材を逆の方向に傾斜させて配設して、略Ｖ字状に配設する場合と、逆Ｖ字状に配設する場合とを示す部分断面図である。
【図１５】従来のパチンコ機のランプ付き遊技装置の装飾灯を示す正面図および側面図である。
【符号の説明】
１  パチンコ機
２  遊技部品
３  発光装置
１０  パネル部材
２１  第１の装飾部材
２２  第２の装飾部材
２８  線状の間隙
【図１】
0004315639.tif 000002
【図２】
0004315639.tif 000003
【図３】
0004315639.tif 000004
【図４】
0004315639.tif 000005
【図５】
0004315639.tif 000006
【図６】
0004315639.tif 000007
【図７】
0004315639.tif 000008
【図８】
0004315639.tif 000009
【図９】
0004315639.tif 000010
【図１０】
0004315639.tif 000011
【図１１】
0004315639.tif 000012
【図１２】
0004315639.tif 000013
【図１３】
0004315639.tif 000014
【図１４】
0004315639.tif 000015
【図１５】
0004315639.tif 000016